(57)【要約】【目的】  本発明の目的は、夏期シーズンだけでなく、オールシーズンで使用することができる新規なテントを提供する【構成】  このテントは、組立可能な骨組み１００と、この骨組みに張られ且つ前面部が開放された天幕２００とを備えている。天幕２００の背面部２２３の内面（奥側面）には、ゴルフや野球等の球当て用のターゲット４００が設けられている。【選択図】      図１
2008248626.tif 000002
【特許請求の範囲】
【請求項１】
組立可能な骨組みと、この骨組みに張られ且つ前面部が開放された天幕とを備えたテントにおいて、
前記天幕の奥側面には、ゴルフや野球等の球当て用のターゲットが設けられていることを特徴とするテント。
【請求項２】
請求項１記載のテントにおいて、
前記ターゲットは、前記奥側面に着脱可能になっていることを特徴とするテント。
【請求項３】
請求項２記載のテントにおいて、
前記天幕の奥側面には、補強部材が設けられており、
前記ターゲットは、補強部材上に位置するように前記奥側面に取り付けられていることを特徴とするテント。
【請求項４】
請求項３記載のテントにおいて、
前記補強部材は前記奥側面に着脱可能になっていることを特徴とするテント。
【請求項５】
請求項１記載のテントにおいて、
前記天幕は、防音性を有するシートで構成されていることを特徴とするテント。
【請求項６】
請求項１乃至５記載のテントにおいて、
前記天幕の前面部は開閉可能になっていることを特徴とするテント。
【発明の詳細な説明】
【技術分野】
【０００１】
本発明はアウトドア等で用いられるテントに関する。
【背景技術】
【０００２】
この種のテントは、組立可能な骨組みと、この骨組みに張られる天幕とを有するものがある（特許文献１参照）。
【０００３】
【特許文献１】特開２００３−２５３９１５号公報
【発明の開示】
【発明が解決しようとする課題】
【０００４】
前記テントは、通常、６〜１０月の夏期に屋外で使用され、それ以外の期間は物置等で保管されることが多い。即ち、夏期以外のシーズンでは、ほとんど使用されることがなかった。
【０００５】
本発明は、上記事情に鑑みて創案されたものであって、その目的とするところは、夏期シーズンだけでなく、オールシーズンで使用することができる新規なテントを提供することにある。
【課題を解決するための手段】
【０００６】
上記課題を解決するために、本発明のテントは、組立可能な骨組みと、この骨組みに張られ且つ前面部が開放された天幕とを備えており、前記天幕の奥側面には、ゴルフや野球等の球当て用のターゲットが設けられている。
【０００７】
即ち、天幕の奥側面のターゲットに対してゴルフや野球等の球を打ち込み練習を行うことができる。
【０００８】
前記ターゲットは、前記奥側面に着脱可能になっていることが好ましい。
【０００９】
前記天幕の奥側面には、補強部材が設けられていることが好ましい。この場合、前記ターゲットは、補強部材上に位置するように前記奥側面に取り付けられている。
【００１０】
前記補強部材についても前記奥側面に着脱可能とすることができる。
【００１１】
前記天幕は防音性を有するシートで構成されていることが好ましい。この場合、ゴルフや野球等の球がターゲットに当たる際の音を外部に漏れないようにすることができる。
【００１２】
前記天幕の前面部は開閉可能とすることができる。
【発明の効果】
【００１３】
本発明のテントによる場合、天幕の奥側面にゴルフや野球等の球当て用のターゲットが設けられている。このため、本テントは、テント本来の使用目的だけでなく、前記ターゲットに対してゴルフや野球の球を打ち込む練習用のゲージとしても使用できる。よって、オールシーズンで使用することができる汎用性の高いテントとすることができる。
【発明を実施するための最良の形態】
【００１４】
以下、本発明の実施の形態に係るテントについて図面を参照しつつ説明する。図１は本発明の実施の形態に係るテントの概略的正面図、図２は同テントの概略的側面図、図３は同テントの概略的底面図、図４は同テントの模式的平面図、図５は同テントの骨組みの支柱部の拡大図、図６は同テントの骨組みの支柱部の折り曲げ状態を示す図である。
【００１５】
図１に示すテントは、組立可能な骨組み１００と、この骨組みに張られる天幕２００と、天幕２００の奥側面に着脱可能に取り付けられる補強部材３００と、天幕２００の奥側面に、補強部材３００上に位置するように着脱可能に取り付けられるターゲット４００とを備えている。以下、各部を詳しく説明する。
【００１６】
天幕２００は、図１乃至図３に示すように、底面視略凹字状の底部２１０と、この底部２１０に連続して設けられたメッシュ状の屋根部２２０と、底部２１０の両開放端部同士を連結する連結紐２３０とを有する。
【００１７】
底部２１０の外側の４つの角部には、骨組み１００の４つの支柱部１１０の長さ方向の一端部を係止する４つの係止片２１１が各々設けられている。
【００１８】
屋根部２２０は前面部が開放された略ドーム体である。この屋根部２２０は、図１乃至図４に示すように、隣り合う斜辺同士が縫い合わされた第１、第２、第３、第４の頂部２２１ａ、２２１ｂ、２２１ｃ、２２１ｄと、頂辺部が第２の頂部２２１ｂの底辺部に縫い合わされた第１の側面部２２２ａと、頂辺部が第３の頂部２２１ｃの底辺部に縫い合わされた第２の側面部２２２ｂと、頂辺部が第４の頂部２２１ｄの底辺部に縫い合わされ且つ両斜辺部が隣り合う第１、第２の側面部２２２ａ、２２２ｂの斜辺部と各々縫い合わされた略台形状の背面部２２３と、第２、第４の頂部２２１ｂ、２２１ｄの斜辺部の縫い合わせ部分及びこれに連続する第１の側面部２２２ａの斜辺部と背面部２２３の斜辺部との縫い合わせ部分上に設けられた複数の筒状の第１のスリーブ２２４ａと、第３、第４の頂部２２１ｃ、２２１ｄの斜辺部の縫い合わせ部分及びこれに連続する第２の側面部２２２ｂの斜辺部と背面部２２３の斜辺部との縫い合わせ部分上に設けられた筒状の第２のスリーブ２２４ｂと、第１、第２の頂部２２１ａ、２２１ｂの斜辺部の縫い合わせ部分及びこれに連続する第１の側面部２２２ａの斜辺部上に設けられた筒状の第３のスリーブ２２４ｃと、第１、第３の頂部２２１ａ、２２１ｃの斜辺部の縫い合わせ部分及びこれに連続する第２の側面部２２２ｂの斜辺部上に設けられた筒状の第４のスリーブ２２４ｄとを有する。
【００１９】
また、第１、第２、第３、第４の頂部２２１ａ、２２１ｂ、２２１ｃ、２２１ｄの頂角部には、図３に示すように、ホームベース状の補強シートが取り付けられている。この補強シートは、骨組み１００のハブ部１２０が当接することにより、第１、第２、第３、第４の頂部２２１ａ、２２１ｂ、２２１ｃ、２２１ｄの頂角部が破れないようにしている。
【００２０】
背面部２２３は、その内面が天幕２００の奥側面となる。この背面部２２３の４つの角部には、図１に示すように、補強部材３００の６つの取付紐３１０及びターゲット４００の４つの取付紐４１０が取り付けられる６つのループ２２３ａが各々設けられている。
【００２１】
骨組み１００は、図１乃至図４に示すように、複数の第１、第２、第３、第４のスリーブ２２４ａ、２２４ｂ、２２４ｃ、２２４ｄに通される各々４つの支柱部１１０と、この４つの支柱部１１０の長さ方向の他端部を９０°間隔で回動自在に軸支するハブ部１２０とを有する。
【００２２】
支柱部１１０は、図５及び図６に示すように、折り曲げ可能な第１、第２、第３、第４の関節部１１１ａ、１１１ｂ、１１１ｃ、１１１ｄを有している。
【００２３】
第１の関節部１１１ａは、雄ロック部１１１ａ１と、この雄ロック部１１１ａ１に回動可能に取り付けられ且つその雌ロック本体が雄ロック部１１１ａ１に向けて移動自在になっている雌ロック部１１１ａ２と、雌ロック部１１１ａ２に取り付けられ、当該雌ロック部１１１ａ２の雌ロック本体を雄ロック部１１１ａ１に向けて付勢するコイルスプリング１１１ａ３とを有している。
【００２４】
即ち、第１の関節部１１１ａが伸びた状態であるときには、雄ロック部１１１ａ１の凸状の先端部が雌ロック部１１１ａ２の雌ロック本体に嵌まり込んで係合される。このとき、雌ロック部１１１ａ２の雌ロック本体がコイルスプリング１１１ａ３に付勢力されることにより、当該雌ロック本体が雄ロック部１１１ａ１を係合した状態で維持される。一方、第１の関節部１１１ａが折り曲げ状態であるときには、コイルスプリング１１１ａ３が圧縮され、雄ロック部１１１ａ１の先端部が雌ロック部１１１ａ２の雌ロック本体の係合から外れる。そして、前記雌ロック本体は雄ロック部１１１ａ１の側面に当接する。なお、第３の関節部１１１ｃは、第１の関節部１１１ａと同じものである。
【００２５】
第２の関節部１１１ｂは、第１の関節部１１１ａと反対方向に向けて折り曲げ可能になっている。なお、第４の関節部１１１ｄは第２の関節部１１１ｂと同じものである。
【００２６】
補強部材３００は略六角形の補強ネットである。この補強部材３００の角部には、６つの取付紐３１０が設けられている。この取付紐３１０が背面部２２３の６つのループ２２３ａに各々結びつけられる。
【００２７】
ターゲット４００は、中央部に中心点と径の異なる２つの円が描かれた矩形状のシートである。このターゲット４００の４つの角部には、４つの取付紐４１０が設けられている。この取付紐３１０が背面部２２３の６つのループ２２３ａのうち４つのループ２２３ａに各々結びつけられる。
【００２８】
以下、このような構成のテントの組み立て手順を説明すると共に、その使用方法を説明する。まず、骨組み１００の４つの支柱部１１０の折り曲げ状態にある第１、第２、第３、第４の関節部１１１ａ、１１１ｂ、１１１ｃ、１１１ｄを順次伸ばす。このとき、第１の関節部１１１ａの雄ロック部１１１ａ１の先端部が雌ロック部１１１ａ２の雌ロック本体に嵌まり込み、係合される。このとき、コイルスプリング１１１ａ３が雌ロック部１１１ａ２の雌ロック本体を雄ロック部１１１ａ１に向けて付勢力する。これにより、前記雌ロック本体が雄ロック部１１１ａ１を係合した状態で維持される。なお、第３の関節部１１１ｃは、第１の関節部１１１ａと同様である。
【００２９】
すると、４つの支柱部１１０の長さ方向の一端部が回動し、ハブ部１２０を持ち上げる。このようにして４つの支柱部１１０が複数の第１、第２、第３、第４のスリーブ２２４ａ、２２４ｂ、２２４ｃ、２２４ｄを支持し、天幕２００の屋根部２２０をドーム状に張った状態で維持する。
【００３０】
このようにして建てられたテントは、従来のテントと同様に、その内部がユーザの居住空間として使用できる。
【００３１】
その後、補強部材３００の６つの取付紐３１０を背面部２２３の６つのループ２２３ａに各々結びつける。このようにして補強部材３００が背面部２２３の内面（即ち、奥側面）に取り付けられる。そして、ターゲット４００の取付紐４１０を背面部２２３の６つのループ２２３ａのうち上下の４つのループ２２３ａに各々結びつける。これにより、ターゲット４００が背面部２２３の内面に補強部材３００上に位置するように取り付けられる。
【００３２】
このように背面部２２３の内面にターゲット４００取り付けた状態で、当該ターゲット４００に向けてゴルフボールや野球のボールを打ち込むことができる。ターゲット４００から外れたボールは、補強部材３００、屋根部２２０の第１、第２の側面部２２２ａ、２２２ｂ、背面部２２３に当たる。これにより、ボールが予期しない方向に飛んで行くのを防止している。また、ターゲット４００に当たって跳ね返ったボールは屋根部２２０の第１、第２の側面部２２２ａ、２２２ｂに当たる。これにより、前記ボールの散乱を防止している。
【００３３】
テントを折り畳むときには、４つの支柱部１１０の第１、第２、第３、第４の関節部１１１ａ、１１１ｂ、１１１ｃ、１１１ｄを順次折り曲げる。すると、コイルスプリング１１１ａ３の不正力に抗して、雌ロック部１１１ａ２の雌ロック本体が雄ロック部１１１ａ１から離れる方向に移動する。これにより、雄ロック部１１１ａ１の先端部が前記雌ロック本体の係合から外れる。すると、雌ロック部１１１ａ２の雌ロック本体が雄ロック部１１１ａ１の側面に当接する。
【００３４】
これと共に、第２、第４の関節部１１１ｂ、１１１ｄが第１、第３の関節部１１１ａ、１１１ｃと反対側に折れ曲がる。このようにして支柱部１１０を折り畳み、併せて天幕２００を折り畳む。
【００３５】
このようなテントによる場合、テント本来の目的だけでなく、ゴルフボールや野球のボールを打ち込む練習用のゲージとして使用することができる。よって、前記テントをオールシーズンで使用することができる。
【００３６】
なお、上記テントは、組立可能な骨組みと、この骨組みに張られ且つ前面部が開放された天幕とを備えており、前記天幕の奥側面には、ゴルフや野球等の球当て用のターゲットが設けられている限り任意に設計変更可能である。
【００３７】
骨組み１００については、天幕２００を張りうる限りどのようなものを用いても良い。  
【００３８】
天幕２００についても、その奥側面に前記ターゲットを設けることができるものである限り、任意に設計変更可能である。
【００３９】
なお、天幕２００の屋根部２２０は、メッシュ状であるとしたが、これに限定されるものではない。例えば、防音性を有するシート材を用いることができる。この場合、前記ターゲット等にボールが当たる音が外部に漏れるのを防ぐことができる。また、前記シート材は、防音性と共に遮光性を備えているものがある。この場合、テント内に日の光が入るのを防止することができる。
【００４０】
補強部材３００については設けるか否かは任意である。また、補強部材３００を設ける場合には、ターゲット４００の裏側に位置し、当該ターゲット４００を補強しうるものである限り、どのようなものを用いても構わない。
【図面の簡単な説明】
【００４１】
【図１】本発明の実施の形態に係るテントの概略的正面図である。
【図２】同テントの概略的側面図である。
【図３】同テントの概略的底面図である。
【図４】同テントの模式的平面図である。
【図５】同テントの骨組みの支柱部の拡大図である。
【図６】同テントの骨組みの支柱部の折り曲げ状態を示す図である。
【符号の説明】
【００４２】
１００  骨組み
２００  天幕
３００  補強部材
４００  ターゲット
【図１】
2008248626.tif 000003
【図２】
2008248626.tif 000004
【図３】
2008248626.tif 000005
【図４】
2008248626.tif 000006
【図５】
2008248626.tif 000007
【図６】
2008248626.tif 000008